(57)【要約】【課題】情報提供端末の視聴者に対して適した表示態様を提供する情報提供端末を提供する。【解決手段】表示器と、撮像部で撮像した画像データから人の顔を検出する顔検出部と、この顔検出部で検出した人の顔に係る画像データを取り込む画像取込部と、この画像取込部で取り込んだ人の顔に係る画像データを基に前記顔検出部で検出した人の年齢を判定する年齢判定部と、年齢と前記表示器に表示する文字表記に関する表示態様とを関連付けて記憶する記憶部と、前記年齢判定部で判定された年齢で前記記憶部に記憶されている年齢を検索し、この検索された年齢に関連付けて記憶されている前記記憶部に記憶されている文字表示に関する表示態様で前記表示器に表示する表示制御部と、を備える。【選択図】図７
2013205430.tif 000002
【特許請求の範囲】
【請求項１】
表示器と、
撮像部で撮像した画像データから人の顔を検出する顔検出部と、
この顔検出部で検出した人の顔に係る画像データを取り込む画像取込部と、
この画像取込部で取り込んだ人の顔に係る画像データを基に前記顔検出部で検出した人の年齢を判定する年齢判定部と、
年齢と前記表示器に表示する文字表記に関する表示態様とを関連付けて記憶する記憶部と、
前記年齢判定部で判定された年齢で前記記憶部に記憶されている年齢を検索し、この検索された年齢に関連付けて記憶されている前記記憶部に記憶されている文字表示に関する表示態様で前記表示器に表示する表示制御部と、
を備えることを特徴とする情報提供端末。
【請求項２】
前記記憶部に記憶する年齢は年齢毎に区分分けされ、かつ当該区分分けに応じて前記表示器に表示する文字表記に関する表示態様も区分分けされて記憶されていることを特徴とする請求項１記載の情報提供端末。
【請求項３】
前記記憶部は、前記年齢判定部で判定不能と判定した場合に前記表示器に表示する文字表記に関する表示態様とを関連付けて記憶し、
前記表示制御部は、前記前記年齢判定部で判定不能とした場合に前記記憶部に前記判定不能と判定した場合に表示する表示態様で前記表示器に表示することを特徴とする請求項２記載の情報提供端末。
【発明の詳細な説明】
【技術分野】
【０００１】
本発明の実施形態は、視聴者に対して広告等の所定の情報を提供する情報提供端末に関する。
【背景技術】
【０００２】
従来、ショッピングモール等の商業施設や、地下街等において、デジタルサイネージ端末装置による広告や店舗情報等のコンテンツ表示が行なわれている。
【０００３】
デジタルサイネージ端末装置では、視聴者の性別や年齢にあわせたコンテンツを表示することが好ましい。そこで、所定のセンサを用いて視聴者が親子連れである等の判断を行ない、それぞれに適したコンテンツを表示するデジタルサイネージ端末が存在する。
【０００４】
しかしながら、コンテンツを表示する際に常に同じ表示態様とした場合、特定のコンテンツを表示させる場合であっても視認性が劣る場合がある。
【先行技術文献】
【特許文献】
【０００５】
【特許文献１】特開２００８−２４９７８４号公報
【発明の概要】
【発明が解決しようとする課題】
【０００６】
かかる事情を鑑みて、本発明の実施形態が解決しようとする課題は、情報提供端末の視聴者に対して適した表示態様を提供する情報提供端末を提供することである。
【課題を解決するための手段】
【０００７】
本実施形態の情報提供端末は、表示器と、撮像部で撮像した画像データから人の顔を検出する顔検出部と、この顔検出部で検出した人の顔に係る画像データを取り込む画像取込部と、この画像取込部で取り込んだ人の顔に係る画像データを基に前記顔検出部で検出した人の年齢を判定する年齢判定部と、年齢と前記表示器に表示する文字表記に関する表示態様とを関連付けて記憶する記憶部と、前記年齢判定部で判定された年齢で前記記憶部に記憶されている年齢を検索し、この検索された年齢に関連付けて記憶されている前記記憶部に記憶されている文字表示に関する表示態様で前記表示器に表示する表示制御部と、を備える。
【図面の簡単な説明】
【０００８】
【図１】本実施形態のデジタルサイネージ端末装置を適用するショッピングモールの概略図。
【図２】本実施形態のデジタルサイネージ端末装置の外観を示す正面図。
【図３】本実施形態のデジタルサイネージ端末装置の電気的接続を示すブロック図。
【図４】ＣＰＵが実行する処理機能を示す機能ブロック図。
【図５】本実施形態の年齢とコンテンツ表示パターンとが関連付けられて記憶された表示パターンテーブルを示す図。
【図６】本実施形態のメモリエリアに記憶された年齢別カウンタを示す図
【図７】本実施形態のＣＰＵが実行する処理の流れを示すフローチャート。
【発明を実施するための形態】
【０００９】
以下、添付図面を参照して、本発明の実施形態に係る情報提供端末について詳細に説明する。なお、本実施形態に係る情報提供端末は、例えば、ショッピングモールや店舗等で使用されるデジタルサイネージ端末を例として説明する。
【００１０】
図１は、本実施形態に係るデジタルサイネージ（Ｄｉｇｉｔａｌ  ｓｉｇｎａｇｅ）端末装置１４を適用するショッピングモールの概略図を示した図である。複数のデジタルサイネージ端末装置１４は、広告コンテンツ等を表示する。これらのデジタルサイネージ端末装置１４は、各種データの記憶を行い、商品の広告情報等をデジタルサイネージ端末装置１４に配信するサーバ１０に、ＬＡＮ１１を介して接続される。
【００１１】
デジタルサイネージ端末装置１４の外観正面図である。デジタルサイネージ端末装置１４は、例えば、液晶ディスプレイまたはプラズマディスプレイである。デジタルサイネージ端末装置１４は、タッチパネルとして構成された表示部としてのディスプレイユニット２１と、各種チケット、クーポン等を印刷し、発行するプリンタユニット２２と、会員カード等の記憶媒体からの顧客ＩＤ等の情報の読み取りを行う読取装置２３と、ディスプレイユニット２１、プリンタユニット２２及び読取装置２３を支持する筐体部２４と、を備える。
【００１２】
筐体部２４は、操作者を撮影して画像認識を行い、後述する操作画面の表示位置の決定等の用途に用いられる撮像画像データを生成するカメラユニット２５と、ＢＧＭや広告音声等の各種音響出力を行うスピーカユニット２６が内蔵されている。なお、画像認識等の処理は、デジタルサイネージ端末装置１４で行うことなく、サーバ１０等で行うようにしてもよい。
【００１３】
プリンタユニット２２は、例えば、ロール紙を記録媒体とする感熱記録方式のプリンタ装置が用いられ、必要に応じてロール紙を自動的にカットするカット機構を備える。
【００１４】
図３は、デジタルサイネージ端末装置１４の電気的接続を示すブロック図である。デジタルサイネージ端末装置１４は、上記したディスプレイユニット２１、プリンタユニット２２、撮像範囲内にいる視聴者の情報を入力する撮像部としてのカメラユニット２５、スピーカユニット２６の他、当該デジタルサイネージ端末装置１４全体を制御するコントローラ３１と、オペレータあるいはユーザが各種操作を行うための操作部３２と、ＬＡＮ１１を介
してサーバ１０との間で通信を行うためのネットワーク通信インタフェース（ＩＦ）３３と、コンテンツ等の各種データを記憶する外部記憶装置３５と、を備える。
【００１５】
コントローラ３１は、当該コントローラ３１全体を制御するＣＰＵ３６と、ＣＰＵ３６が動作するための制御プログラム等を格納したＲＯＭ３７と、各種データを一時的に記憶するＲＡＭ３８と、を備える。
【００１６】
操作部３２は、タッチパネルとして液晶ディスプレイ等のディスプレイユニット２１上に表示されている。または、物理的な各種スイッチ、ボタン等で構成させてもよい、
【００１７】
外部記憶装置３５は、例えばＨＤＤ（Hard Disk Drive）である。この外部記憶装置３５には、各年齢別（例えば、子供、若・中年層、高齢層）の人の顔画像データが予め記憶されている顔データベース（図示せず）が格納されている。後述する年齢判定処理の際にこの顔画像データベースを参照して顔認識処理が実行される。
【００１８】
図４は、ＣＰＵ３６が実行する処理機能を示す機能ブロック図である。ＣＰＵ３６は、人検出部３６１と、顔検出部３６２、画像取込部３６３と、画像処理判定部３６４と、年齢判定部３６５と、表示制御部３６６と、を主として有し、これら各部で実行される処理を司る。
【００１９】
人検出部３６１は、撮像部であるカメラユニット２５が撮像する撮像範囲内に視聴者が存在するか否かを検出する。具体的には、カメラユニット２５が定期的に撮像範囲内の画像を撮像して取込み、この時系列的に取り込まれた前後の画像の画像成分の変化を検出することで、撮像範囲内に視聴者が存在することを検出する。なお、人検出部は、撮像範囲内に存在する複数の視聴者を検出することも可能である。
【００２０】
顔検出部３６２は、人検出部にて撮像範囲内に視聴者が存在すると判定した場合、この撮像範囲内に存在する視聴者の顔を検出する。顔検出部３６２による顔検出処理は、例えば、一般的な顔の輪郭や目、鼻、口等の特徴点を元に視聴者の顔に該当する箇所を輪郭線として切り出し抽出し、当該抽出した箇所を顔として検出する。
【００２１】
画像取込部３６３は、顔検出部３６２にて検出した視聴者の顔画像を取り込む処理を実行する。なお、画像取込部３６３による顔画像の取込みのタイミングは、例えば、人検出部で人を検出し、顔検出部３６２で認識した場合であって、検出された人の顔が予め定められた一定時間、静止していることを受けて顔画像の画像データ取込みを実行する。
【００２２】
年齢判定部３６４は、画像取込部３６３にて取り込んだ顔画像データを元に、ＨＤＤ等の外部記憶装置３５に格納されている顔画像データベースを参照して該当する年齢を特定する年齢判定処理が実行される。年齢判定部３６４により判定された判定結果は、ＲＡＭ３８に形成された年齢別カウンタ３８１にてカウントされる。例えば、判定した顔画像データが高齢者に該当する場合、ＲＡＭ３８の年齢別カウンタの高齢者カウンタを１だけカウントアップする。
【００２３】
画像処理判定部３６５は、画像処理部３６３が取り込んだ全ての顔画像データについて、年齢判定部による年齢判定処理が実行されたか否かを判定する。
【００２４】
表示制御部３６６は、年齢判定部の判定処理の結果を受けて年齢別カウンタ３８１にてカウントされたカウント結果に基づいて、ディスプレイユニット２１に表示する表示パターン（表示形態）を決定し、表示制御する。
【００２５】
図５は、外部記憶装置３５に記憶された視聴者の年齢とコンテンツ表示パターンとが関連付けられて記憶された表示パターンテーブル３５１を示す図である。この表示パターンテーブル３５１は、例えば、視聴者の年齢が子供（例えば、０歳〜１０歳）、若年・中年層（例えば、１１歳〜５９歳）、高齢層（例えば、６０歳〜）との形で複数の年齢に区分分けされている。この年齢の区分分けに対応付けてコンテンツの表示パターンが関連付けて記憶されている。
【００２６】
年齢判定部３６４にて、子供（例えば、０歳〜１０歳）と判定した場合、パターン１の表示とする。パターン１の表示は、例えば、簡略した表示、ひらがなによる表示、大きな文字による表示、イラストやアニメーションが多用された表示等のいずれかの表示、若しくはこれらの表示を組み合わせた表示態様となる。また、表示コンテンツとしては、例えば、子供が興味を惹く店舗情報やその他、迷子センター等である。パターン１の表示は、子供（例えば、０歳〜１０歳）に対する情報提供に適した表示態様である。また、パターン１の表示は、子供（例えば、０歳〜１０歳）の区分と関連付けられた表示対応である。
【００２７】
年齢判定部３６４にて、若年・中年層（例えば、１１歳〜５９歳）の区分と判定した場合、例えば、情報の詳細な事項を表示した表示、漢字や外国語が入り混じった表示、比較的小さな文字を一部表記した表示の表示態様となる。また、表示コンテンツとしては、例えば、若年・中年者向けの店舗情報などである。
【００２８】
年齢判定部３６４にて、高齢層（例えば、６０歳〜）と判定した場合、例えば、簡略した表示、漢字や外国語が入り混じった表示、一字一字が大きく表記された表示の表示態様となる。また、表示コンテンツとしては、例えば、高齢者向けの店舗情報などである。なお、これらの各区分分けの年齢は適宜変更可能であって、当該年齢とは異なる年齢の幅としてよいことは言うまでもない。また、区分分けも同様に一例であって、必ずしも上記の区分分けに限定されることはなく異なる区分分けとしてもよい。
【００２９】
図６は、ＲＡＭ３８のメモリエリア３８１に記憶された年齢別カウンタ３８１を示す図である。年齢別カウンタ３８１は、高齢者カウンタ、若・中年者カウンタ、子供カウンタ、年齢不能カウンタがそれぞれ設けられている。これらのカウンタは、年齢判定部３６４の判定結果を受けてそれぞれ１ずつカウントアップされる。
【００３０】
図７は、ＣＰＵ３６が実行する情報表示処理の流れを示すフローチャートである。ＣＰＵ３６は、まずＲＡＭ３８に形成されている年齢別カウンタ３８１の高齢者カウンタ、若・中年者カウンタ、子供カウンタ、年齢不能カウンタからなる各種カウンタをリセットし、初期化する。（Ａｃｔ７０１）。ＣＰＵ３６は、年齢別カウンタ３８１を初期化することにより各カウンタには値“０”がセットされる。
【００３１】
次に、ＣＰＵ３６は、撮像部であるカメラユニット２５が撮像した撮像範囲内に視聴者が存在することを検出するまで待機する（Ａｃｔ７０２）。Ａｃｔ７０２の処理は人検出部３６１に相当する。ＣＰＵ３１は、カメラユニット２５で撮像された画像に視聴者が存在すると検出した場合（Ａｃｔ７０２）、顔検出部３６２により顔検出がされることを待機する（Ａｃｔ７０３）。顔検出部３６２にて、この撮像範囲内に存在する視聴者の顔を検出した場合（Ａｃｔ７０３のＹ）、画像取込部３６３で画像取り込みが可能か否かを判定する（Ａｃｔ７０４）。ここでの、画像の取り込みが可能か否かの判定は、具体的には、ＣＰＵ３６の顔検出部３６２にて、カメラユニット２５で撮像された画像に映りこんだ人の顔が一定時間静止しているか否かを判定し、一定時間静止していることを判定した場合、画像取込部３６３で所定枚数のフレームの顔画像データの取り込みを実行する（Ａｃｔ７０５）。これにより、カメラユニット２５によりデジタルサイネージ端末に正対する人の顔画像データを取得する。取得された顔画像データは、ＲＡＭ３８に一時記憶される。なお、Ａｃｔ７０２での人検出の処理は、例えば、公知の人感センサを別途設けることにより人検出を行う構成であってもよい。
【００３２】
次に、画像処理判定部３６５は、取得した全ての顔画像データについて年齢判定処理を完了したか否かを判定する（Ａｃｔ７０６）。画像処理判定部３６５は、完了していないと判定した場合（Ａｃｔ７０６のＮ）、ＣＰＵ３６の年齢判定部３６４で年齢判定処理を実行する。年齢判定処理は、取得した１フレームの顔画像データについて、ＨＤＤ等の外部記憶装置３５に予め格納されている顔画像データベースを参照して各画像データに該当する年齢を特定する。具体的には、年齢の判定処理は、以降のＡｃｔ７０７〜Ａｃｔ７１０に係る処理である。
【００３３】
年齢判定部３６４は、まず、取得した１フレームの顔画像データが高齢者の顔画像データと類似するか否かを判定する（Ａｃｔ７０７）。高齢者の顔画像データと最も類似すると判定した場合（Ａｃｔ７０７のＹ）、ＲＡＭ３８に形成された年齢別カウンタ３８１の高齢者メモリエリアを１だけカウントアップする（Ａｃｔ７１１）。そして、再度Ａｃｔ７０６の処理に戻り、取得した全ての顔画像データについて年齢判定処理を完了したか否かを判定する（Ａｃｔ７０６）。
【００３４】
他方、Ａｃｔ７０７にて高齢者の顔画像データと類似しないと判定した場合（Ａｃｔ７０７のＮ）、年齢判定部は、若・中年者の顔画像データと類似するか否かを判定する（Ａｃｔ７０８）。若・中年者の顔画像データと最も類似すると判定した場合（Ａｃｔ７０８のＹ）、ＲＡＭ３８に形成された年齢別カウンタ３８１の若・中年者メモリエリアを１だけカウントアップし（Ａｃｔ７１２）、再度Ａｃｔ７０６の処理に戻り、取得した全ての顔画像データについて年齢判定処理を完了したか否かを判定する（Ａｃｔ７０６）。
【００３５】
Ａｃｔ７０８にて若・中年者の顔画像データと類似しないと判定した場合（Ａｃｔ７０８のＮ）、年齢判定部は、子供の顔画像データと類似するか否かを判定する（Ａｃｔ７０９）。子供の顔画像データと最も類似すると判定した場合（Ａｃｔ７０９のＹ）、ＲＡＭ３８に形成された年齢別カウンタ３８１の子供メモリエリアを１だけカウントアップし（Ａｃｔ７１３）、再度Ａｃｔ７０６の処理に戻り、取得した全てのフレーム枚数分の顔画像データについて年齢判定処理を完了したか否かを判定する（Ａｃｔ７０６）。
【００３６】
Ａｃｔ７０９にて子供の顔画像データと類似しないと判定した場合（Ａｃｔ７０９のＮ）、年齢判定部は、年齢不能としてＲＡＭ３８に形成された年齢別カウンタ３８１の年齢不能メモリエリアを１だけカウントアップし（Ａｃｔ７１０）、再度Ａｃｔ７０６の処理に戻り、取得した全ての顔画像データについて年齢判定処理を完了したか否かを判定する（Ａｃｔ７０６）。
【００３７】
上記した処理にて、年齢判定部３６４にて取得した全ての顔画像データについて年齢判定処理が終了した場合、画像処理判定部３６５は、年齢判定処理が完了したと判断する（Ａｃｔ７０６のＹ）。そして、ＣＰＵ３６は、ＲＡＭ３８の年齢別カウンタ３８１に記憶されている顔画像の判定結果を参照してディスプレイユニット２５に表示する表示態様を決定する。
【００３８】
まず、ＣＰＵ３６の表示制御部３６６は、年齢別カウンタ３８１の高齢者メモリエリアを参照し（Ａｃｔ７１４）、高齢者メモリエリアのカウンタが他のＲＡＭ３８内のメモリカウンタにカウントアップされた値に比べて最も多いと判断した場合（Ａｃｔ７１４のＹ）、表示パターンとしてパターン１を選択し（Ａｃｔ７１９）、このパターン１による表示態様でディスプレイユニット２５上に表示する（Ａｃｔ７１８）。
【００３９】
他方、ＣＰＵ３６は、年齢別カウンタ３８１の高齢者メモリエリアを参照し（Ａｃｔ７１４）、高齢者メモリエリアのカウンタが他のＲＡＭ３８内のメモリカウンタにカウントアップされた値に比べて最も多いと判断しない場合（Ａｃｔ７１４のＮ）、若・中年者の若・中年者メモリカウンタにカウントアップされた値が最も多いか否かを判定する（Ａｃｔ７１５）。若・中年者の若・中年者メモリカウンタにカウントアップされた値が他のＲＡＭ３８内のメモリカウンタにカウントアップされた値に比べて最も多いと判断した場合（Ａｃｔ７１５のＹ）、表示パターンとしてパターン２を選択し（Ａｃｔ７２０）、このパターン２による表示態様でディスプレイユニット２５上に表示する（Ａｃｔ７１８）。
【００４０】
他方、ＣＰＵ３６は、Ａｃｔ７１５にて若・中年者メモリカウンタにカウントアップされた値が最も多いと判定しない場合（Ａｃｔ７１５のＮ）、子供メモリカウンタにカウントアップされた値が最も多いか否かを判定する（Ａｃｔ７１６）。子供メモリカウンタにカウントアップされた値が他のＲＡＭ３８内のメモリカウンタにカウントアップされた値に比べて最も多いと判断した場合（Ａｃｔ７１6のＹ）、表示パターンとしてパターン３を選択し（Ａｃｔ７２１）、このパターン３による表示をディスプレイユニット２５上に表示する（Ａｃｔ７１８）。
【００４１】
ＣＰＵ３６は、Ａｃｔ７１６にて子供メモリカウンタにカウントアップされた値が最も多いと判定しない場合（Ａｃｔ７１６のＮ）、年齢不能と判定して、年齢の範囲が一番広く設定された若年・中年層（例えば、１１歳〜５９歳）の表示パターンのパターン２をセットする（Ａｃｔ７１７）。そして、パターン２の表示態様でディスプレイ２５上に表示する（Ａｃｔ７１８）。若しくは、ＣＰＵ３６は、Ａｃｔ７１６にて子供メモリカウンタにカウントアップされた値が最も多いと判定しない場合（Ａｃｔ７１６のＮ）、年齢不能と判定して、視聴者の年齢に依存しない表示（例えば、店内の地図など）をさせてもよい。
【００４２】
以上、本実施形態の情報提供端末によれば、撮像部であるカメラユニットにて撮像された視聴者の顔画像データを基に、視聴者の年齢が判定されてこの視聴者の年齢に応じた表示態様及びコンテンツが表示されることとなるので、視聴者毎に見えやすい表示態様となり利便性を向上することが可能となる。
【００４３】
また、視聴者がいずれの年齢にも特定が出来なかった場合は、年齢の視聴者の年齢とコンテンツ表示パターンとが関連付けられて記憶された表示パターンテーブルにおいて最も範囲が広く設定されている年齢の表示態様で表示を実行するので、多くの年齢の視聴者に対応することが出来る。また、視聴者がいずれの年齢にも特定が出来なかった場合は、例えば、視聴者の年齢によらない表示（例えば、店内の地図など）をさせるので、誤った年齢判定が行われたことを視聴者に気づかせることなく、不快感を与えることを防止することが出来る。
【００４４】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態は、発明の範囲や要旨に含まれるとともに、特許請求の範囲に記載された発明とその均等の範囲に含まれる。
【符号の説明】
【００４５】
１０  サーバ
１４  デジタルサイネージ端末装置
２１  ディスプレイユニット
３６１  人検出部
３６２  顔検出部
３６３  画像取込部
３６４  年齢判定部
３６５  画像処理判定部
３６６  表示制御部
３６  ＣＰＵ
３７  ＲＯＭ
３８  ＲＡＭ
【図１】
2013205430.tif 000003
【図２】
2013205430.tif 000004
【図３】
2013205430.tif 000005
【図４】
2013205430.tif 000006
【図５】
2013205430.tif 000007
【図６】
2013205430.tif 000008
【図７】
2013205430.tif 000009